(57)【特許請求の範囲】
【請求項１】
色覚異常者が、色彩の明度差に敏感でかつ特定範囲の色に対して健常者より優れた識別力を持つことを利用して、健常者に違和感を与えず、色覚異常者に判別しやすい配色を達
0005286472.tif 000040
示す色が表示されるようになった健常者の見えを表示する第一のチャートと該チャートの各色コマを色覚異常者の見えに変換して表示された第二のチャートとを対比して配置し、
0005286472.tif 000041
たカラーチャート、を用いて色覚異常者が判別しやすい配色デザインを企画立案し、該配色を健常者が如何に知覚するかを前記カラーチャートを用いて検証することにより、健常者が違和感を覚えない配色に変更することを特徴とするデザイン方法。
【請求項２】
２色以上の色彩を有する配色デザインにおいて、色覚異常者が判別しにくい配色を請求項１に記載のカラーチャートに基づいて検討し、色彩変化法を用いて計画段階で判別しやすい配色に変換することを特徴とする請求項１記載のデザイン方法。
【請求項３】
２色以上の色彩を有する配色デザインにおいて、色覚異常者が判別しにくい互いに隣り合った２色を請求項１記載のカラーチャートに基づいて、濃淡法を用いて配色変換すると同時に、配色調整以外にハッチングやセパレーションを施すことを特徴とする請求項１記載のデザイン方法。
【請求項４】
２色以上の色彩を有する配色デザインにおいて、色覚異常者が判別しにくい配色を請求項１記載のカラーチャートに基づいて、色相変化法を用いて判別しやすい配色に変換することを特徴とする請求項１記載のデザイン方法。
【請求項５】
網点％を調節することにより作製される２色以上の色彩を有するカラー印刷において、色覚異常者が判別しにくい配色を判別しやすいものに変換する工程で、請求項１記載のカラーチャート表色領域の内部にあって、プロセスカラーの４原色シアン色（Ｃ）、イエロー色（Ｙ）、マゼンタ色（Ｍ）、ブラック色（Ｋ）を用いて表色できる部分についてはＣＭＹＫによる表色を行い、色覚異常者がＹの網点濃度の変動に対して健常者より優れていることを利用して、色覚異常者に対する色相変化による情報伝達を可能とし、健常者に対して違和感を与えない配色を行うために、色相、明度及び彩度の変化をＹの網点濃度の調節で行うことを特徴とする請求項１記載のデザイン方法。
【発明の詳細な説明】
【技術分野】
【０００１】  本発明は、色覚異常者が識別しやすく、健常者に違和感を与えないカラーユニバーサルな色彩デザインを達成するための技術に係る。さらに詳しくは、カラー印刷、染色、塗装、化粧品など色を扱う業界において、色覚異常者が視認しやすく健常者に違和感を与えない配色を実施する方法とそれを用いた製品に関する。
【背景技術】
【０００２】  人間が物体を見て判断を下す場合、物体の色は重要な判断情報である。しかし、世の中には物体の色を判断する際に、多くの人とは違った感じ方をする人々がかなり存在する。このような特質を持った人々は色覚異常者とか色覚障害者と呼ばれているが、これは異常でも障害でもなく、そのような遺伝形質を受け継いだ人々と理解すべきである。ただ、そのような遺伝形質を受け継いだ人々を表現する用語が他に見出せないので便宜上「色覚異常者」という旧来の表現に従う。一方、そのような遺伝形質を受け継いでいない人々は「健常者」と表現する。通常色が伝える情報、特に配色などは、健常者に都合よくできており、色覚異常者には非常に不便なものとなっている。近年このような不便さを解消する試みがなされるようになっており、バリアフリー・デザインあるいはユニバーサル・デザインという用語で呼ばれている。バリアフリーとユニバーサルでは若干内容が異なっている。バリアフリーという場合は、色覚異常者に重きをおいており、色覚異常者に見分けやすくすることを第一義としている。しかし、色覚異常者の都合を優先した場合、健常者が著しく違和感を覚えてしまうようなデザインになってしまう場合がある。このような現象はできるだけ解消されることが望ましい。色覚異常者に見分けやすく健常者に違和感を覚えさせないような、柔軟で万能な方法としてユニバーサル・デザインという考え方がされるようになってきた。【０００３】  ＩＴ化の浸透や、パソコンの普及により、多くの人がカラーディスプレイと対面するようになっており、色覚異常に対応する方法（主として変換ソフト）が種々開発されている。しかし、配色等を色覚異常者が視認しやすいように変更すると、色覚異常者本人のみが見るのであれば問題ないが、健常者には違和感を覚えるものとなる場合が多い。また、普段人間が目にするのは物体色であって、カラーディスプレイのような光源色を目にするのはＴＶ鑑賞やパソコン操作のような特別の場合を除いてあまりない。従って、物体色のバリアフリー化あるいはユニバーサル・デザイン化を推進することが重要である。印刷物に関しては、ディスプレイ・システムよりさらに遅れた状態にある。印刷物を色覚異常者に視認し易くする方法として、（１）色の変わり目に太い輪郭線を追加するか、あるいはセパレーションカラーで明度の違う縁取りをすることによって、色の変わり目であることを知らせる方法、（２）色の部分にハッチング（斜線や線の種類の違い）などを入れて、パターンの違いによって色の変化を知らせる方法、（３）色の部分に、色を表す文字を入れることによって、色の変化を知らせる方法等がある。特開２００１−２９３９２６には、このような方法で色覚異常者にとって見やすい印刷物を提供する印刷システムが開示されている。また、特開２００１−２５７８６７では、色の部分に色名を記入する印刷装置が開示されている。しかし、これらの方法は何れも健常者には違和感を覚えるものばかりである。
【特許文献１】  特開２００１−２９３９２６
【特許文献２】  特開２００１−２５７８６７
【発明の開示】
【発明が開示しようとする課題】
【０００４】  現代はいたる所あらゆる物に色彩情報があふれている。色覚に訴えることによって、情報の認識度をより高くしようとする意図によるものである。カラーテレビ、カラー印刷、ファッション、玩具、広告等を初めとして、色のついていないものを探す方が大変なほどである。これら、色彩情報は健常者には確かに華やかで視覚による印象を強くする効果がある。しかし、色覚異常者には必ずしも好ましいものばかりではなく、むしろ逆に判断を狂わせ苦しめるケースがかなりある。
【０００５】  色覚異常には、３色型の第一・第二・第三色覚異常、２色型の第一・第二・第三色覚異常があり、ほとんどが男性である。人間の眼には、Ｒ（赤）・Ｇ（緑）・Ｂ（青）の三原色を感じる視覚細胞（錐体細胞）が網膜に存在する。この錐体細胞の一種類の機能が失われると２色型色覚異常（色盲）となり、錐体細胞の一種類に変異があり分光感度がずれてしまっている場合には３色型色覚異常（色弱）となる。２色型・３色型色覚異常には、赤色を感じる錐体細胞に異常がある第一色覚異常、緑色を感じる錐体細胞に異常がある第二色覚異常、青色を感じる錐体細胞に異常がある第三色覚異常がある。色覚異常者の９９％以上が第一・第二色覚異常で、ほとんど同じ色覚傾向を示すため、まとめて、赤緑色覚異常と呼ばれている。３色型第一・第二色覚異常は分光感度のずれ方のちがいにより色の感じ方に個人差が大きいが、色の識別能力には全く問題がなく、ただ健常者とは見えが異なっている場合である。３色型第一・第二色覚異常に関しては、より異常が大きい２色型の第一・第二色覚異常者に対応できれば、ほとんどの色覚異常者にも対応させることが可能であり、カラーユニバーサル化することができる。色覚異常者はかなりの割合で存在し、日本人では男性の約５％、女性の約０．２％がそうであると言われている。全人口比でいうと約２．５％であり、異常と称するには非常に多いと言わざるをえない。従って色覚異常者に対するバリアフリーな生活環境を作り上げることが重要な課題となっている。本発明では、特に断らない限り、色覚異常者とは２色型第一・第二色覚異常者のことを指している。
【０００６】  従来、カラー印刷物や各種のカラーサイン（表示物や案内板など）などの配色に関しては、色覚異常者が明度と彩度の変化に対して非常に鋭敏であることを利用して、明度と彩度に差をつけて見分けやすくする方法で対処されることが多かった。例えば、カラー印刷物では、モノクロコピーやモノクロプリント等で複写することにより、黒色濃度の差として現れる配色は、すべて色の階調変化として判別可能であるという色覚異常者の指摘があり、主として明度を変換することでバリアフリー化することが重要な手段とされてきた。色と色が接している部分に白や黒の境界線を入れて見やすくする方法なども前記事実を有効に活用したものである。さらに誤認を避ける目的で、基本的に色のみによる表示は避けて文字や記号などを付加して識別しやすくする方法が取られている。通常、色分け表示などは一目で判別することができ、健常者には非常に便利なものであるが、色覚異常者は文字情報や記号情報に頼り色情報の利用を重要視していない。しかし、このような方法では、地図などのように情報量が多い製品の場合、文字と記号情報だけで情報を伝えようとすると、空白が少なく文字と記号に埋まった地図となり、健常者には甚だ違和感を覚えさせるものとなる。このような地図は、色覚異常者にとっても決して見やすいものとは言えない。
【０００７】  配色を、明度と彩度を中心にして変換した場合、色相の変化は二の次になるので、カラー表示の重要な要素である色覚に訴える効果が、大幅に減少する危険性がある。カラー表示の場合、色彩的な華やかさに欠けていると見る者の印象が非常に弱くなる。バリアフリー化は、色覚異常者には見分けやすくなる反面、健常者には逆に印象を弱くする効果がある。例えば、カラー印刷のような場合、明度を上げるために網点ドットを小さくしていくと、明度が上昇する反面、急激に色彩感が失われていき、印象度が指数関数的に減少する。
【課題を解決するための手段】
【０００８】  色覚異常者のことを考慮して、バリアフリーなデザインを制作する場合、色相だけで配色を行うと、盛り込める情報量が非常に貧弱になる。そこで、通常色相に明度差と彩度差をつけて配色する方法が採用されているが、色覚異常者が色相に関する感度を全く欠いているわけではない。青と黄色系統の色については健常者と全く同等の感度を有している。ただ、全ての色を青と黄色系統の色と混同してしまう傾向がある。さらに詳しくのべると、（１）青色系から灰色系、（２）茶色系から黄色系の色相を明確に識別できる。従って、色覚異常者のこの能力を活用すれば、色相を用いて色情報を伝達することが可能であり、このような能力を活用すれば色相による情報を盛り込むことができる。
【０００９】  色覚異常者の色相感度を活用できる可能性はあるが、製品の中にどのように取り込むかということになると、前例がなくかなりの工夫を必要とする。本発明者が検討した結果、
0005286472.tif 000002
色法に限定されるべきではなく、他の表色法（例：マンセル表色法等）を用いる場合も含んでいる。
【００１０】  色覚異常者の色相感度を活用するためには、健常者の見えと、色覚異常者の見えの違い
0005286472.tif 000003
色覚異常者の見えとを対比して表示するカラーチャートを工夫した。特開平１１−３４４
0005286472.tif 000004
対比して、両者の見えの違いを調べることができるようなカラーチャートについては前例
0005286472.tif 000005
〜１０程度が適当である。前記色コマは各諧調ステップの交点に配置され、各諧調の混色
0005286472.tif 000006
その色を色覚異常者の見えに変換した色とを表示し対比する。このようにして一枚のチャ
0005286472.tif 000007
範囲にあり、階調ステップ幅は５〜１０が適当である。光源色の場合には明度は１００以上になり上限を設定することができない。対比の方法は幾つか考えられるが、各色コマを２分して、一つに健常者の見えを、他方に色覚異常者の見えを割り当て並列対比する方法や、１ページの半分を健常者の見えを示すチャートとし、他の半分を色覚異常者の見えを示すチャートで埋める方法もあり、目的に応じて使い易い対比方法にすることができる。該色見本帳をカラー印刷でプロセスカラーインキを用いて作成する場合、ＣＭＹＫインキ
0005286472.tif 000008
ておく必要がある。
【００１１】
0005286472.tif 000009
ら印刷ソフトにより特色インキの指定を行うと、使用頻度がほとんどないインキを表示する場合がある。即ち各ステップ間の色彩については表示しないことになるので、それを補
0005286472.tif 000010
てカラー分類帳にしておけば、使用頻度の高い特色インキを見つけ出すことが容易になる
0005286472.tif 000011
【００１２】  カラーユニバーサルなデザインを実行する方法には、二つのやり方がある。一つは、最初に健常者を対象とするデザインを実行し、しかる後にそれを色覚異常者が如何に知覚するかを検証し、色覚異常者に見分けやすい配色に変更するという方法である。二つは、最初に色覚異常者を意識してデザインを実行し、しかる後にそれを健常者が如何に知覚するかを検証し、健常者に違和感を覚えないものに配色を変更するという方法である。第二の方法のように通常とは異なる順序でデザインをする手法については、特許、文献で開示された例が全くない。第二の方法で、最初に色覚異常者を意識したデザインを企画する場合、
0005286472.tif 000012
テップ値を、使用する色数に応じて一定の規則のもとに幅を持たせて選択して配色の骨組みを作り上げる。この配色骨組みを前記カラーチャートの色覚異常者の見えに対比した健常者の見えを活用して、健常者にどのように見えるかを検証して違和感を覚えないものに変更すれば完全なデザインとすることができる。
【００１３】  前記第一の方法で、最初に健常者を対象としてデザインを企画した場合に、色覚異常者が判別しやすいものに変換するための三つの技法を考えた。第一の技法は、色彩変化法で
0005286472.tif 000013
の斜方向に移動させるのと同じ移動である。特に第一第二色覚異常者の場合には、全ての色が黒系、茶色・黄色系と青色・灰色系のどれかに見えてしまうために、同系色に認識されてしまう色（紫と青、緑と茶色、赤と茶色等）の場合には明度差が近いと非常に見分けづらいが、このような色と色とが接する場合には、彩度・明度・色相の全てを調節することにより、色覚異常者に見やすい配色になるようにすることができる。水色とピンクや灰色と藤色が並んだ配色などは色覚異常者には非常に判別の難しい組み合わせであるが、この方法で見やすいものにすることができる。この方法は新しいデザインを企画する場合に、計画段階で配色プランが色覚異常者にどのように知覚されるのかを確認し、配色を変更する場合に非常に有効な手段になると考えられる。この方法をカラー印刷で実行する場合には、ＣＭＹ値を全て変更して色彩を変えることになる。
【００１４】  第二の技法は、濃淡法である。これは、色覚異常者が識別できる色の数は少ないものの、色の濃淡を見分ける能力は健常者よりかえって優れていることを利用する方法である。彩
0005286472.tif 000014
ではないので、健常者に配色の変更を感じさせることなく目的を達成することができるという長所がある。大胆な配色の変換が好ましくなく、配色の全体印象を変えたくない場合に用いるのに好適であるが、色覚異常者には色感分離が十分でない場合が多いので、ハッチングやセパレーションと組み合わせて用いると非常に有効である。この方法をカラー印刷で実行する場合には、網点ドットの大きさまたは密度を変更して色彩を変えることが必要である。
【００１５】  第三の技法は、色相変化法である。これは、互いに隣接した２色が色覚異常者によって判別しにくい色調の場合に、色覚異常者と健常者で色相変化に対する感度が異なることを利用して、健常者には大きな色相変化と感じさせないが、色覚障害者には容易に変化を感じ取れるように配色の色相を調節する方法である。このような手段は、石原式の色盲検査表の図柄で採用している方法であり、健常者と色覚障害者とでは別の文字に見えてしまう
0005286472.tif 000015
域では上下の象元で色相の変化が少いので注意する必要がある。例えば第四象元から第一
0005286472.tif 000016
既存の配色デザイン（例えば駅の案内板）などで色覚異常者にとって判別しにくい配色の組み合わせを含んでいるような場合に、健常者にはあまり変化を感じさせないで色覚異常者にバリアフリーでユニバーサルなデザインに改善する場合などに非常に効果のある技法である。
【００１６】  前記の技法をカラー印刷で実行する場合には、ＣＭＹ値のうち主としてＹ値の移動により色相を変換する手法が非常に有効であり、三つの技法全てに係わっている。イエロー色（Ｙ）は他のシアン色（Ｃ）やマゼンタ色（Ｍ）と比較して明度が高く、イエロー色を混色することにより明度を高くすることができるという特徴がある。イエロー色は健常者には色感の薄い色であるが、明度と彩度に関して感度の高い色覚異常者には知覚しやすい色である。しかも、イエロー色はインキの混色により大きな色の変換を行える色である、例えば青色と混ぜると青・黄緑・緑・黄色と呈色し、赤と混ぜると赤・橙・黄色と呈色する。このような混色によって得られる色は、色覚異常者には青色との混色の場合は青・灰色・茶色・黄色と認識され、赤色との混色の場合は褐色・茶色・黄色と認識され、きわめて判別しやすい色相変化を生じる。この現象は、色相変化法をイエロー色の出し入れによって行うことができることを意味している。また既に述べたようにイエロー色は明度が高いので、イエロー色インキの混色により明度を調節することが可能であり、濃淡法をイエロー色インキの混色で実行することも可能である。さらに、カラー印刷では明度と彩度とは連動しており、どちらか一方だけを変更するのは難しい。イエロー色インキの混色により、明度と同時に彩度も変化するので、イエロー色により色彩変化法を実行することも可能である。即ち、前記第一の方法における三つの技法の全てをイエロー色の混色により実行することが可能である。カラー印刷では、ＣＭＹＫ（特にＣＭＹ）のプロセスカラーの網点ドットの重なりと面積によって色が作りだされ、特色のようにインキの混合によって色を
0005286472.tif 000017
Ｋ色の各色の版が重ね合わされ、各層からの透過光と反射光が加算して知覚される、従って減法混色と加法混色とが同時に行われており、非常に特殊である。
【００１７】  本発明の技術を活用したデザイン製品には、人為的に彩色の施された有形・無形の製作物が考えられる。第一に利用者に何らかの情報を伝達するために設けられた設備や建造物が考えられる。このようなものには、一般的な案内板、料金案内板、時刻案内板、番組案内板、交通案内板、フロアー案内板、危険表示板、車両・機体等の内外表示および内外操作表示板、信号機、看板、一般的掲示板、標識、電光掲示板などが含まれる。
【００１８】  第二に案内図、図表、タイトル文字およびイラスト等が挿入された、各種のカラー印刷物が考えられる。このようなものには、カタログ、パンフレット、リーフレット、ＤＭ、ポスター、ちらし、カード、はがき、封筒、包装紙、会社案内書、事業案内書、教科書、参考書、辞典、雑誌、観光案内書、旅行案内書、地図、道路および鉄道の路線または経路図、カレンダー、使用説明書、利用案内書、商品札、荷札などが含まれる。
【００１９】  第三に色素を混入して着色したものや、塗装によって彩色された種々の工業製品が考えられる。このようなものには、建築物の内外装、玩具、教材、文具、遊具、自動車、航空機、鉄道車両、船舶、服飾品、家電製品、雑貨、道具類などが含まれる。
【００２０】  第四に案内図、図表、タイトル文字、イラストおよびアニメーションなどが挿入された、各種のディスプレイ画面が考えられる。このようなものには、テレビ、携帯電話画面、ゲーム機画面、インターネット、ホームページなどが含まれる。
【００２１】  第五に表示板、印刷物、造形物や各種ディスプレイ画面などの中で適宜採用される各種のマークや絵柄類が考えられる。このようなものには、ロゴマーク、色認識マーク、色認識文字、グラフ、表、フローチャート、男女別の色分け表示、イラスト、重要事項・注意事項を示す表示、上下・左右・東西南北の色分け表示、スイッチ・計器類の色分け表示などが含まれる。
【発明の効果】
【００２２】  従来、カラー製品はまず健常者を対象としてデザインされ、健常者用のデザインあるいは製品が完成した後で、色覚異常者にも見分けやすくする方法を検討するというのが普通の順序であった。しかし、本発明の方法を用いれば、まず色覚異常者に判別しやすい配色をデザインし、そこから逆に健常者にはどのように見えるのかを検討して配色しなおすという技法が可能になる。この通常とは逆の順序によりカラーユニバーサルデザインを実施すれば、制作時間が大幅に短縮されるものと思われる。色覚異常者の場合にも、色相の違いにより色を見分けることができた方がよいことは明白であるが、今までこの点について考慮されることは全くなかった。色覚異常者の場合、色相変化を感じることができないの
0005286472.tif 000018
色相の少ない無味乾燥なデザインを避けることが可能である。
【００２３】  色覚異常者の場合には、センサーである眼の視覚細胞が一部欠落しているか、あるいは感度曲線が健常者とは異なっている。色覚異常者は色相を知覚する場合に困難を伴うが、明度差や彩度差に関しては健常者よりかえって鋭敏であると言われている。従って、色覚異常者を対象にして配色を変換する際に、明度と彩度による調整に頼りがちである。しかし、人間が物体の色を知覚する過程は、最初に対象物から反射あるいは放射された光を眼の視覚細胞が感知する。眼の視覚細胞はセンサーであるが、可視光の全スペクトルを判別しているわけではなく、ある波長帯ごとに感知するようにできている。太陽光をプリズムでスペクトル分解した場合、昔から７色に見えると言われてきた。しかしこの７色には個人差が大きく、各色の境目に別の色を感じる人がおり、このような人は１０色以上を識別できる場合もある。また、逆に識別できる色が少なくて５色程度という人もいる。色覚異常者は識別できる色がもっと少ない人の例だと言うこともできる。このように色感は個人差が大きいので、カラーユニバーサルなデザインを検討する場合、健常者や色感豊かな人への配慮も必要であり、本発明の技法を使えばこの弊害を回避することができる。
【００２４】  さらに、色をＲＧＢやＣＭＹＫで表色した場合表色域が狭く、特色インキの色調を表現
0005286472.tif 000019
の色域をもカバーすることができるという大きなメリットがある。色覚異常者の見えをチェックする場合、色盲シミュレーションソフト（例えば「Ｖｉｓｃｈｅｃｋ  ＩｍａｇｅＪＰｌｕｇ−Ｉｎ」［略：ビスチェック］のようなフリーウェア）を用いて色覚異常者の見えをＲＧＢ値として確認し、さらにそれを別の色に変換した場合のＲＧＢ値も確認するような作業を必要とする。しかし、本発明のように、カラーチャートを用意しておくと、カラー
0005286472.tif 000020
ソフトであるフォトショップを用いて、例えば大日本インキ化学工業（株）の特色インキの見本番号であるスポット・カラーガイド中のＤＩＣナンバーを迅速に見つけ出すことができるという大きなメリットがある。
【発明を実施するための最良の形態】
【００２５】  以下、本発明の実施の形態を詳述するが、本発明はこれによって限定されるものではない。本発明を実施する手順は、一つの流れとして（１）対象とするデザインに、色覚異常者に判別しにくい配色があるかどうかをチェックする。（２）特色インキにより配色が行われている場合は、色覚異常者が判別しにくい配色を本発明のカラーチャートを参照しながらどのような色に変換するかを検討する。（３）あるいは、デザインされたものがカラー印刷物である場合は、アドビ社の印刷用ソフトであるフォトショップを用いて変換したい色のＹ色網点濃度を本発明のカラーチャートをコンピュータファイル化したチャート上で調節
0005286472.tif 000021
からその色に近いＣＭＹＫ値や特色番号ＲＧＢ値等に変換する。（５）カラー印刷の場合は、得られたＣＭＹＫ値の画像をプリンターで印刷し、目的とする配色になっているかどうかをチェックする、特色番号の場合には、例えば大日本インキ化学工業株式会社のＤＩＣスポットカラーやパントーン社のパントーンＲＧＢを参照して色の確認を行い、多色のときは印刷により確認する。あるいは、別の流れは（１）本発明のカラーチャートを用いれば最初から色覚異常者が判別しやすい配色デザインを企画することが可能であり、まず色覚異常者主体のデザインを企画する。（２）企画したデザインに、健常者が違和感を覚えるような配色があるかどうかを、カラーチャートを用いて検討し、必要な場合には色を変換す
0005286472.tif 000022
配色の場合はフォトショップを用いて変換したい色のＹ色網点濃度をコンピュータファイル化したカラーチャート上で調節する。後の操作は第一の流れと同じ操作を行う。【００２６】  本発明では、対象としている物または作品に色覚異常者が判別しにくい配色が含まれているかどうかをチェックすることが必要である。このチェックは、色覚異常者の色の見えを調べるためのコンピュータソフトを使って配色の一つ一つの色を変換することによって可能であるが、チェックをより迅速に行うためには、健常者の色の見えと色覚異常者の色の見えとを対比して表示したカラーチャートを作成するのが便利である。色覚異常者の色の見えを調べるためのコンピュータソフトでは、現在前記ビスチェックが最も信頼性が高いと判断される。ビスチェックはフォトショップにプラグ・インされており、ビスチェッ
0005286472.tif 000023
ＭＹＫ値に変換する機能が搭載されているのでフォトショップを用いてカラーチャートのファイルを作成し、作業の多くをコンピュータで行った。【００２７】
0005286472.tif 000024
ステムであり、わが国の工業規格にも取り入れられている。従って、カラーチャートの表
0005286472.tif 000025
成する。このようにして形成した各マトリックスのチャートを集積することによって色見本帳（カラーチャート）を製作することができる。本発明のカラーチャートは、最初にコンピュータ上のファイルとして作成されるので、ディスプレイによりＲＧＢ値の画像として閲覧することができる。さらにカラー印刷で制作する場合には、ビスチェックで得られ
0005286472.tif 000026
いない。【００２８】
0005286472.tif 000027
ら印刷ソフトにより特色インキの指定を行うと、使用頻度がほとんどないインキを表示する場合がある。即ち各ステップ間の色彩については表示することができないので、それを
0005286472.tif 000028
類してカラー分類帳にしておけば、使用頻度の高い特色インキを見つけ出すことが容易に
0005286472.tif 000029
【００２９】  本発明の技法により、既存の配色デザインを色覚異常者が判別しやすいものに変換する
0005286472.tif 000030
２０〜−１２０までの色を色覚異常者は青色系もしくは灰色系に感じる、どちらに感ずる
0005286472.tif 000031
る色を色覚異常者は暗い茶色に感じるため黒との判別が難しい。隣接２色がこれにあては
0005286472.tif 000032
タ色（Ｍ）濃度を下げて明るい色に変換し書体などを変えることで対応することができる。
0005286472.tif 000033
異常者は茶色系ないし黄色系に感じる。隣接する２色がこれにあてはまる場合（例：黄緑
0005286472.tif 000034
色覚異常者は、茶色系ないし黄色系に感じる。また原点を通る４５度の直線より下にある
0005286472.tif 000035
の色は、ほぼ赤系統に見えるはずであるが、色覚異常者には原点を通る４５度の直線を境にして別系統の色に感じられるので、色覚異常者への情報伝達を色相変化で行いたい場合にこの現象を大いに活用することができる。（５）色覚異常者が青色・灰色系に感じる色を、
0005286472.tif 000036
ラスにする。即ち第２象元に移動するような変換をすればよい。青色系に感じる色と茶色系に感じる色とは、あまり明度差をつけなくても色覚異常者は容易に判別がつくので、健
0005286472.tif 000037
１象元に属する色で、原点を通る４５度の直線より下にある色は、青色・灰色系に感じら
0005286472.tif 000038
色し見分けやすくする。（８）カラー印刷の場合、シアン色（Ｃ）とマゼンタ色（Ｍ）は色覚異常者には青色系に見え、イエロー色（Ｙ）と混色すると、ＣとＭの網点％の和がＹの網点％とほぼ同じになったときに茶色系に色感が変化する。このような現象を利用すると、Ｙの割合を調節することにより、色覚異常者が知覚する色調を変えることができ、色による情報伝達の手段として使うことができる。（９）健常者は黄色に対する感度が低く、逆に色覚異常者にとっては判別しやすい色であることを利用して、カラー印刷の場合には、黄色もしくはそれに近い色でセパレーションを入れるなどの工夫をすることにより色覚異常者には判別しやすく、健常者者には変更をあまり感じさせないで変換することができる。【００３０】  更に、このような色彩による工夫を他の方法と組み合わせることにより、色覚異常者に一層見やすいものとすることができる。例えば、旅行案内料金表等には、色分け表示が良く利用されており、健常者にとっては大変便利なものとなっている。しかし、色覚異常者に対して配慮していない配色のものが多く、色覚異常者には非常に識別しづらいものとなっている。しかし、本発明の技法を用いて色覚異常者に識別しやすい色分け表示を実施すれば、色覚異常者にとっても色分け表示は非常に便利なものとなるが、他の手法と組み合わせることにより更に見やすいもにすることができる。通常色分け表示は、色のブロックを連続してつなげる例が多く、ブロックの境目は線で表示している。しかし、各色ブロックの境目を隙間とし色ブロックを分離して色の差を分り易くする工夫をすると、健常者にも色覚異常者にも見やすいものとなる。色ブロック間の隙間は白色とするのが良いが、場合によっては他の色にすることも考えられる。更に、色ブロック毎に地模様（ハッチング）を入れると、地模様が一層識別し易くなる。また、連続する色ブロックの色調を、色覚異常者（２色型第一・第二色覚異常）が判りやすい色相を交互に配し、色ブロックの分類数に応じて明度差をつけると色覚異常者が識別し易くなる。色覚異常者の感じる色相を変化させるには、色相変化法を利用して、ＣＭＹＫで再現されているものには、Ｙの混合比率を変えて変化させることができるし、塗料のようにインキを混ぜ合わせて色調を変える場合には黄色インキの混合比率を変えることで、色覚異常者の感ずる色相を変化させることができる。しかし、色数が増えてくると、色覚異常者が感じる色相と明度差だけでは識別し易いものを制作できなくなるので、識別しづらい色ブロックが並ぶ場合には、濃淡法、色彩変化法、色相変化法を利用した地模様を入れて、識別し易くする。濃淡法、色相変化法を利用した地模様は、健常者より色覚異常者の方が色の変化に敏感なため、健常者に違和感を与えることが少なくなる。更に、各色ブロックには、Ａ・Ｂ・Ｃあるいは１・２・３などの文字情報を付加し、その文字情報も黒文字・白抜き文字など色を変え、文字も正体・斜体等やゴシック体・明朝体など書体を変えるなど工夫を加えることで、色覚異常者にも旅行案内料金表等の色分け表示を識別しやすくすることができる。文字情報に下線を加えたり、▲１▼のように○・□などを加えることでも識別のし易さを増大す���ことができる。【００３１】  本発明の色彩変化法、濃淡法、色相変化法の三技法において、色の三要素（色相・明度・彩度）のうちのどの要素の変換操作を行うかについて表１に要約して示す。前記三技法は
【表１】
0005286472.tif 000039
相互に関連している面が強く、完全に一つの技法による変換だけでおさまる場合は少ない。例えば、明度を調節した場合には、大抵は彩度にも影響がおよび彩度値が変わる場合が多い。以下、本発明の実施形態の例を図を参照しながら説明する。
【実施例１】
【００３２】  図１、２，３，４は色相変化法による配色変換の実例図である。実例は鉄道のサインボードなどで日常よく目にすることができるものである。即ち、図１は健常者が知覚している色データ（通常の色彩データ）である。健常者には容易に判別できる配色であるが、色覚異常者にどのように見えているのかをシミュレーションしたのが図２である。データが示すように、赤色はほとんど黒色に見えてしまうので、黒色のバックに埋没してしまい、非常に判別しにくいことが分かる。図３は色相変化法により配色を変換した後の色データである。文字を黄色に変換し、バックも藍色に換えてある。これが色覚異常者にどのように見えるのかをシミュレーションしたのが図４である。データが示すように、黄色は色覚異常者に非常に知覚しやすい色彩であるため、明確に判別できるようになったことが分かる。
【実施例２】
【００３３】  図５、図６は、図１、図２と同じ図柄の例である。図１が色覚異常者には非常に判別しにくい配色である点を、文字のまわりに濃淡法により下地の色（黒色）のグラデーションを施すことにより、文字を浮き上がらせる効果によって色覚異常者に判別しやすくした例である。図５がグラデーションを施した後の健常者の見え示しており、それを色覚異常者がどのように知覚するのかをシミュレーションしたのが図６である。
【実施例３】
【００３４】図７，８、９、１０は主として濃淡法により色彩によるハッチングを施した実例図である。実例は多色を用いたグラフ、イラスト、地図や路線図などでよく遭遇するものである。色数が多く、色の調整だけでは対応しきれない場合などに利用すると有効である。即ち、図７は健常者が知覚する色データ（通常の色彩データ）であり、上段のバーは茶色、中段のバーは橙色、下段のバーは緑色で彩色されている。健常者には明確に判別できる色彩であるが、これが色覚異常者にどのように見えているのかをシミュレーションしたのが図８である。データが示すように、３色とも黄土色に見え、ほとんど判別不能であることが分かる。図９は明度の低い同系統の色を用いて地色にハッチングで模様を施した例である。図１０はハッチングしたデザインが色覚異常者にどのように知覚されるのかをシミュレーションしたものである。色彩ハッチングを加えることにより別の色であることを伝えることができることが分かる。
【実施例４】
【００３５】図１１、１２、１３、１４は濃淡法による配色の変換と同時に、ハッチングを施し、さらに文字情報を挿入して誤認を防ぐようにした円グラフの実例図である。即ち、図１１は健常者が知覚する色データ（通常の色彩データ）であり、隣接した２色間は白線でカラーセパレーションされている。健常者には、セパレーションカラーがなくても容易に判別できる配色であるが、色覚異常者にどのように見えているのかをシミュレーションしたのが図１２である。データが示すように、ピンク色、藤色、水色はすべて青味がかった灰色に見えてしまい、セパレーションカラーが入れてないと全く判別がつかないことが分かる。図１３は、各色を濃淡法により明度を少しずつ変化させ、ハッチングを施し、さらに色覚異常者が混同しそうな２色は隣接しないように配慮されている。また文字情報も、グラフの外で色毎に表示するのではなく、直接グラフの中に書き込むように変更している。これが色覚異常者にどのように見えているのかをシミュレーションしたのが図１４である、データが示すように非常に判別しやすいものになっていることが分かる。本実施例は円グラフであるが、その他棒グラフ、折れ線グラフ、表、幾何学模様、イラスト、地図、路線図など応用範囲は広い。
【実施例５】
【００３６】図１５、１６は図１３，１４と同じ円グラフで配色も同じであるが、セパレーションカラーを白線から各扇形部分の左側に色彩と同系統で明度の低い色に変換した例である。図１５は健常者が知覚する色データであり。これが色覚異常者にどのように見えているのかをシミュレーションしたのが図１６である。円グラフの種類によってはこちらが好まれる場合がある。
【実施例６】
【００３７】  図１７、１８、１９，２０は総合的な配色の変換を行った実例図である。実例は、百貨店、病院、オフィスビルのフロア案内等でよく目にすることができるが、色相の濃い色は印象が強すぎるため淡い色が好まれる傾向がある。図１７は健常者が知覚する色データ（通常の色彩データ）である。健常者には特に問題となるような点はない。これが色覚異常者にどのように見えているのかをシミュレーションしたのが図１８である。本例では、色覚異常者の見えを全く考慮せずにデザインしたために同系統に見える色を隣接させ、しかも明度と彩度にほとんど差をつけないという誤りを犯していることがよく分かる。図１９は色覚異常者が混同してしまう同系統色が並ばないように配慮し、かつ明度と彩度を調整し、配色を変換し、スミ罫でＣＡＮセパレーションカラーで各階の表示を明確に分離したものである。図２０はこれが色覚異常者によってどのように知覚されるのかをシミュレーションしたのものである。データが示すように非常に見やすいものになっていることが分かる。
【実施例７】
【００３８】  図２１、２２、２３、２４は主として色相変化法で配色の変換を行った例である。実例は、小学校や幼稚園等で用いられている教育補助用具であり算数セットである。色覚異常者は、成人の場合には、過去の生活体験からほとんどの色を識別できるようになっているが、幼児の場合には生活体験が浅いために識別に迷う場合が多い。図２１は健常者が知覚する色データである。健常者には容易に判別できる色彩であるが、これを色覚異常者がどのように知覚するのかをシミュレーションしたのが、図２２である。データが示すように、赤色と緑色は色覚異常者には両方とも茶色系にみえてしまうので、明度に差がない場合には非常に見分けずらいものになっていることがわかる。図２３は色調を変えずに明度差が大きくなるよに色彩を変換したものである。健常者には、色調の変化をあまり感じさせない変化であるが、これを色覚異常者が見た場合図２４のように明度差が大きくなり識別しやすいものになっていることがわかる。
【実施例８】
【００３９】  図２５、２６、２７、２８は主として色相変化法により配色の変換を行った例である。実例は公共施設の表示板などでよく見かけるものである。図２５は健常者が知覚する色データである。これを色覚色覚異常者がどのように知覚するかをシミュレーションしたのが図２６である。色覚異常者には赤色の純色は、褐色ないしほとんど黒色に見えてしまうので赤地に黒い文字で書き込むと埋没して判別がつかなくなる。防災地図、非難経路図など生命にかかわる場合の表示に、注意を引く目的で危険個所を赤色、安全な個所を緑色で示すことが慣習化しているが、色覚異常者には両色とも同じ色調に見えるので、どこが危険でどこが安全か判断に迷うことになる。図２７は、図２５の文字に黄色でセパレーションカラーを施した例である。健常者には特段に必要となる操作ではないが、これを色覚異常者が見た場合、色覚異常者には黄色が非常に知覚しやすい色であるため、図２８のシミュレーションの色データで分かるように文字が浮き上がって見える効果がある。
【実施例９】
【００４０】  図２９、３０、３１，３２は色彩変換法により配色の変換を行った例である。実例は鉄道の駅でよく目にする列車の発車時間などを利用者に知らせる電光掲示板である。地色が黒色で、表示内容を示す列は白色であるが、列車の発車時刻は赤色で表示されている。図２９は健常者がこれを知覚する色データである。健常者には何ら判別に苦しむような問題はない。これを色覚異常者がどのように知覚するかをシミュレーションしたのが図３０である。色データから分かるように赤色が褐色ないしほとんど黒色に見えてしまうので、地色に埋没してしまい非常に判別しにくい配色となっている。これを列車の種類別に表示色を換えて配色したのが、図３１であり健常者が知覚する色彩である。快速が黄緑色、普通が青色、特急がオレンジ色で表示されている。図３１を色覚異常者はどのように知覚するのかをシミュレーションしたのが図３２である。色データからわかるように、文字が非常に見やすくなっていることがわかる。このように、赤色は色覚異常者には黒に近い色に見えてしまうので、黒地に赤文字または赤地に黒文字は特に避けなければならない配色である。
【実施例１０】
【００４１】  図３３、３４、３５、３６は総合的な配色の変換を行った例である。実例は地図および道路図などでよく目にすることができる。図３３は健常者が知覚する色データである。黒色の文字情報を引立たせるために地図の彩色はピンク、淡い水色、灰色を用いて配色されることが多い。これを色覚異常者がどのように知覚するかをシミュレーションしたのが図３４である。色データから判るように、黒色、灰色、青色という寒色系ばかりの色感に乏しいものとなる。図３５は色彩変化法により図３３の配色を変換したものである。地図はカラー印刷で作成されることを考慮し、黄色成分が増加するような配色変換を行った。特に、バック地の色をピンクから薄い茶色、公園を示す薄緑色を薄黄緑、区役所を示す赤色をオレンジ色のように変換した。さらに道路の囲み罫線に濃いイエロー色を用いている。図３５を色覚異常者がどのように知覚するのかをシミュレーションしたのが図３６である。色データが示しているように、図３４に比較してかなり色彩が豊富になったことが感じ取れる。さらに道路の囲み罫線の黄色により区画が明確に判断できるようになっている。このように、ピンク、淡い水色、灰色などは色覚異常者には同じ色に見えてしまうので濃淡をつけて見分けやすくする必要がある。
【実施例１１】
【００４２】  図３７、３８は図３５の罫線の色を変換した例である。図３５も黒色の文字情報が見落とされないようにするために、比較的淡い色で配色してある。淡い色には濃いセパレーションカラーを使用すると見やすくなるので、図３５の道路の囲み罫線を濃いイエロータ色から黒色に変換したのが図３７である。図３７を色覚異常者がどのように知覚するのかをシミュレーションしたのが図３８である。健常者には図３５より図３７の方が見やすいので、よりカラーユニバーサルなデザインになっている。
【実施例１２】
【００４３】  図３９、４０、４１，４２は総合的な配色の変換を行い尚且つ誤認を避けるためにハッチングも施した例である。実例は旅行会社のパンフレットでよく目にするものである。通常健常者が目にする例は図３９のような色データとなっている。これを色覚異常者がどのように知覚するのかをシミュレーションしたのが図４０である。図４０から分かるように色分けの効果がなく色覚異常者は文字情報から判断しなければならなくなっている。特に問題になるのは出発日情報の色分けである。図３９の色彩を変換し、同系統色が隣り合わせにならないように配色し、尚且つ色覚異常者が混同することが予想される同系統色にハッチングを施しものが図４１である。これを色覚異常者がどのように知覚するのかをシミュレーションしたのが図４２である。色データから分かるように、健常者には大きな変化とは見えないが、色覚異常者には劇的ともいえるほど見分けやすいものに変わっていることが分かる。
【産業上の利用可能性】
【００４４】  本発明は、人為的に２色以上の彩色が施された有形・無形の色覚的ユニバーサル・デザイン製品に適用することができる。例えば、（１）利用者に何らかの情報を伝達するために設けられた設備や建造物、（２）案内図、図表、タイトル文字およびイラスト等が挿入された、各種のカラー印刷物、（３）色素を混入して着色したものや、塗装によって彩色した種々の工業製品、（４）案内図、図表、タイトル文字、イラストおよびアニメーションなどが挿入された、各種のディスプレイ画面、（５）表示板、印刷物、造形物や各種ディスプレイ画面などの中で適宜採用される各種のマークや絵柄類などに応用することができる。
【図面の簡単な説明】
【００４５】
【図１】本発明の第１実施例に係るサインボードの健常者の見えを示す説明図である。
【図２】本発明の第１実施例に係るサインボードの色覚異常者の見えを示す説明図である。
【図３】本発明の第１実施例に係るサインボードを配色変換した後の健常者の見えを示す説明図である。
【図４】本発明の第１実施例に係るサインボードを配色変換した後の色覚異常者の見えを示す説明図である。
【図５】本発明の第２実施例に係るサインボードの文字の周りにグラデーションを施した後の健常者の見えを示す説明図である。
【図６】本発明の第２実施例に係るサインボードの文字の周りにグラデーションを施した後の色覚異常者の見えを示す説明図である。
【図７】本発明の第３実施例に係るカラーハッチングの健常者の見えを示す説明図である。
【図８】本発明の第３実施例に係るカラーハッチングの色覚異常者の見えを示す説明図である。
【図９】本発明の第３実施例に係るカラーハッチングを配色変換した後の健常者の見えを示す説明図である。
【図１０】本発明の第３実施例に係るカラーハッチングを配色変換した後の色覚異常者の見えを示す説明図である。
【図１１】本発明の第４実施例に係る円グラフの健常者の見えを示す説明図である。
【図１２】本発明の第４実施例に係る円グラフの色覚異常者の見えを示す説明図である。
【図１３】本発明の第４実施例に係る円グラフを配色変換した後の健常者の見えを示す説明図である。
【図１４】本発明の第４実施例に係る円グラフを配色変換した後の色覚異常者の見えを示す説明図である。
【図１５】本発明の第５実施例に係る円グラフの健常者の見えを示す説明図である。
【図１６】本発明の第５実施例に係る円グラフの色覚異常者の見えを示す説明図である。
【図１７】本発明の第６実施例に係る百貨店フロア案内の健常者の見えを示す説明図である。
【図１８】本発明の第６実施例に係る百貨店フロア案内の色覚異常者の見えを示す説明図である。
【図１９】本発明の第６実施例に係る百貨店フロア案内を配色変換した後の健常者の見えを示す説明図である。
【図２０】本発明の第６実施例に係る百貨店フロア案内を配色変換した後の色覚異常者の見えを示す説明図である。
【図２１】本発明の第７実施例に係る算数セットの健常者の見えを示す説明図である。
【図２２】本発明の第７実施例に係る算数セットの色覚異常者の見えを示す説明図である。
【図２３】本発明の第７実施例に係る算数セットを配色変換した後の健常者の見えを示す説明図である。
【図２４】本発明の第７実施例に係る算数セットを配色変換した後の色覚異常者の見えを示す説明図である。
【図２５】本発明の第８実施例に係る表示板の健常者の見えを示す説明図である。
【図２６】本発明の第８実施例に係る表示板の色覚異常者の見えを示す説明図である。
【図２７】本発明の第８実施例に係る表示板を配色変換した後の健常者の見えを示す説明図である。
【図２８】本発明の第８実施例に係る表示板を配色変換した後の色覚異常者の見えを示す説明図である。
【図２９】本発明の第９実施例に係る電光掲示板の健常者の見えを示す説明図である。
【図３０】本発明の第９実施例に係る電光掲示板の色覚異常者の見えを示す説明図である。
【図３１】本発明の第９実施例に係る電光掲示板を配色変換した後の健常者の見えを示す説明図である。
【図３２】本発明の第９実施例に係る電光掲示板を配色変換した後の色覚異常者の見えを示す説明図である。
【図３３】本発明の第１０実施例に係る地図の健常者の見えを示す説明図である。
【図３４】本発明の第１０実施例に係る地図の色覚異常者の見えを示す説明図である。
【図３５】本発明の第１０実施例に係る地図を配色変換した後の健常者の見えを示す説明図である。
【図３６】本発明の第１０実施例に係る地図を配色変換した後の色覚異常者の見えを示す説明図である。
【図３７】本発明の第１１実施例に係る地図の罫線色を変更後の健常者の見えを示す説明図である。
【図３８】本発明の第１１実施例に係る地図の罫線色を変更後の色覚異常者の見えを示す説明図である。
【図３９】本発明の第１２実施例に係る旅行パンフレットの健常者の見えを示す説明図である。
【図４０】本発明の第１２実施例に係る旅行パンフレットの色覚異常者の見えを示す説明図である。
【図４１】本発明の第１２実施例に係る旅行パンフレットを配色変換した後の健常者の見えを示す説明図である。
【図４２】本発明の第１２実施例に係る旅行パンフレットを配色変換した後の色覚異常者の見えを示す説明図である。
【図１】
0005286472.tif 000042
【図２】
0005286472.tif 000043
【図３】
0005286472.tif 000044
【図４】
0005286472.tif 000045
【図５】
0005286472.tif 000046
【図６】
0005286472.tif 000047
【図７】
0005286472.tif 000048
【図８】
0005286472.tif 000049
【図９】
0005286472.tif 000050
【図１０】
0005286472.tif 000051
【図１１】
0005286472.tif 000052
【図１２】
0005286472.tif 000053
【図１３】
0005286472.tif 000054
【図１４】
0005286472.tif 000055
【図１５】
0005286472.tif 000056
【図１６】
0005286472.tif 000057
【図１７】
0005286472.tif 000058
【図１８】
0005286472.tif 000059
【図１９】
0005286472.tif 000060
【図２０】
0005286472.tif 000061
【図２１】
0005286472.tif 000062
【図２２】
0005286472.tif 000063
【図２３】
0005286472.tif 000064
【図２４】
0005286472.tif 000065
【図２５】
0005286472.tif 000066
【図２６】
0005286472.tif 000067
【図２７】
0005286472.tif 000068
【図２８】
0005286472.tif 000069
【図２９】
0005286472.tif 000070
【図３０】
0005286472.tif 000071
【図３１】
0005286472.tif 000072
【図３２】
0005286472.tif 000073
【図３３】
0005286472.tif 000074
【図３４】
0005286472.tif 000075
【図３５】
0005286472.tif 000076
【図３６】
0005286472.tif 000077
【図３７】
0005286472.tif 000078
【図３８】
0005286472.tif 000079
【図３９】
0005286472.tif 000080
【図４０】
0005286472.tif 000081
【図４１】
0005286472.tif 000082
【図４２】
0005286472.tif 000083